(57)【要約】【課題】袋状容器の液収納袋の肉厚を下端に向かって漸減させたり、液収納袋内面に流出路を形成する溝を設けたりして、液の流路を確保し、内容液の残量を少なくした袋状容器を提供すること。【解決手段】注出口部と、液収納袋とからなる容器であって、液収納袋の内面に、流出溝が形成されていることを特徴とする構成、また、注出口部と、液収納袋とからなる容器であって、液収納袋の肉厚が、下端に向かって漸減していることを特徴とする構成を採用する。【選択図】　　図１
2004051224.tif 000002
【特許請求の範囲】
【請求項１】
注出口部と、液収納袋とからなる容器であって、
液収納袋の内面に、流出溝が形成されていることを特徴とする袋状容器。
【請求項２】
液収納袋の肉厚が、下端に向かって漸減していることを特徴とする請求項１記載の袋状容器。
【請求項３】
注出口部と、液収納袋とからなる容器であって、
液収納袋の肉厚が、下端に向かって漸減していることを特徴とする袋状容器。
【請求項４】
注出口部と液収納袋は、接着により一体的に結合されており、
注出口部は、液収納袋の支持体を備えており、
該支持体が、接着面の下端から延び、わずかに突出する錐台を備えていることを特徴とする請求項１〜３記載の袋状容器。
【請求項５】
注出口部に、下端に吸込みパイプを垂設した液排出用ポンプを取り付け、吸込みパイプの下端を液収納袋内に挿入するようにしたことを特徴とする請求項１〜４記載の袋状容器。
【請求項６】
流出溝が、少なくとも　上端中央に配設された縦溝部を含み、液収納袋の上下端縁を結ぶよう形成されていることを特徴とする請求項１，２，４，５記載の袋状容器。
【請求項７】
流出溝が、交叉部上端部中央に配設し、液収納袋の上下端縁を結ぶ格子状の溝であることを特徴とする請求項１，２，４，５記載の袋状容器。
【請求項８】
格子状の流出溝が、液収納袋の下方に向かって格子が漸次大きく形成されていることを特徴とする請求項７記載の袋状容器。
【請求項９】
流出溝が液収納袋の下方に向かって漸次浅くなるよう形成されていることを特徴とする請求項１，２，４〜８記載の袋状容器。
【請求項１０】
請求項１〜９記載の袋状容器を内容器として、外装容器に取着自在に嵌挿したことを特徴とするレフィル容器。
【発明の詳細な説明】
【０００１】
【発明の属する技術分野】
本発明は、袋状容器に関する。
【０００２】
【従来の技術】
液収納袋に口部部材を取着した袋状容器、および該袋状容器を剛性の外枠体、すなわち外装容器に収納するようにしたレフィル容器は、従来より知られている（例えば特許文献１参照。）。
【０００３】
【特許文献１】
平成１１年特許願第２２７８６９号公報
【０００４】
【発明が解決しようとする課題】
しかしながら、内容液の粘度が比較的高い場合には、袋状容器に取り付けたポンプにより吐出を行う事が通例で、内容液の注出時には、液収納袋内が負圧になり、液収納袋内面が接合するようにして潰されていく。
【０００５】
液収納袋の内面が下端から順次に接合して潰される場合は、ほとんどの内容液を注出することができるが、潰れ方は、必ずしも規則正しく行われるわけでなく、液収納袋内面の中間部が先に接合することもしばしば起こる。
その場合、接合部から下方の内容液が注出されないで液収納袋内に残るという問題があった。
【０００６】
また、液収納袋の口部とポンプの吸込みパイプの下端との間、或いは液収納袋の吸込みパイプ下端から上方の部分にある内容液が注出されないで残るという問題もあった。
【０００７】
本発明は、上記の問題点を解決することを課題として、袋状容器の液収納袋の肉厚を下端に向かって漸減させたり、液収納袋内面に流出路を形成する溝を設けたりして、液の流路を確保し、内容液の残量を少なくした袋状容器を提供することを目的とする。
【０００８】
【課題を解決するための手段】
本発明は、上記の課題を解決するため、袋状容器として、注出口部と、液収納袋とからなる容器であって、液収納袋の内面に、流出溝が形成されていることを特徴とする構成を採用し、具体的な態様として、液収納袋の肉厚が、下端に向かって漸減していることを特徴とする構成を採用する。
【０００９】
別実施態様として、注出口部と、液収納袋とからなる容器であって、液収納袋の肉厚が、下端に向かって漸減していることを特徴とする構成を採用する。
【００１０】
袋状容器の口部の実施態様として、接着により一体的に結合されており、注出口部は、液収納袋の支持体を備えており、該支持体が、接着面の下端から延び、わずかに突出する錐台を備えていることを特徴とする構成を採用する。
【００１１】
液排出用ポンプを取着した袋状容器として、注出口部に、下端に吸込みパイプを垂設した液排出用ポンプを取り付け、吸込みパイプの下端を液収納袋内に挿入するようにしたことを特徴とする構成を採用する。
【００１２】
流出溝の実施態様として、流出溝が、少なくとも上端中央に配設された縦溝部を含み、液収納袋の上下端縁を結ぶよう形成されていることを特徴とする構成、または、流出溝が、交叉部上端部中央に配設し、液収納袋の上下端縁を結ぶ格子状の溝であることを特徴とする構成を採用する。
【００１３】
さらにまた、格子状の流出溝が、液収納袋の下方に向かって格子が漸次大きく形成されていることを特徴とする構成、或いは、流出溝が液収納袋の下方に向かって漸次浅くなるよう形成されていることを特徴とする構成を採用する。
【００１４】
レフィル容器として、上記各袋状容器を内容器として、外装容器に取着自在に嵌挿したことを特徴とする構成を採用する。
【００１５】
【発明の実施の形態】
次に、本発明の実施形態について、図面を参照して説明する。
図１において、Ａは外装容器、Ｂは、外装容器Ａに着脱自在に収納された変形可能な袋状容器、Ｃは、内容器Ｂ口部の挿入孔内に挿入されるポンプＤを装着したキャップ、ＥはポンプＤのピストン部材上端に取着された吐出ヘッド、Ｆはオーバーキャップである。
【００１６】
図２に示すように、外装容器Ａは、上端を開放端とした横断面ほぼ楕円形の胴周壁１と、複数の開孔２を穿孔した底壁３とからなる容器本体Ａ１と蓋体Ａ２とからなっている。
胴周壁１の上端には、縮径された嵌合筒４が形成されており、嵌合筒４の外周中間部には、膨出部５が設けられている。
嵌合筒４の内周は、胴周壁１内周より拡径され、内容器Ｂの係合面６と支持段部７が形成されている。
【００１７】
蓋体Ａ２は、胴周壁１と横断面同形の頂壁８と側周壁９とを具えており、頂壁８には、内容器Ｂの口部を嵌挿する嵌挿孔１０を穿孔し、外周に膨出環１１を設けた支持筒１２が立設されている。
側周壁９は、嵌合筒４の外周に嵌合され、その内周下端には、膨出部５に係合する係合部１３が設けられている。
【００１８】
図３，４に示すように、袋状容器Ｂは、注出口部１５と、注出口部１５の下部に取着された内容液の液収納袋１６とからなっている。
注出口部１５は、基板１７と、基板１７の上面に立設されたポンプＤの取付筒１８、基板１７の下面から垂設された液収納袋１６の支持体１９とからなっており、注出口部１５の中央には、取付筒１８、液収納袋の支持体１９を貫通するポンプＤの挿入孔２０が穿孔されている。
基板１７は、外装容器Ａの嵌合筒４内周の係合面６と同形の外形を有しており、支持段部７に載置されるようになっている。
【００１９】
取付筒１８は、ねじ２１を螺設したねじ筒部２２と、外装容器Ａの蓋体Ａ２が嵌合される係合筒部２３とからなっている。
支持体１９は、その横断面外形は菱形状であり、その各表面は接着面２４となっており、横方向に延びる凹溝２５が刻設されている。
支持体１９の下端部は、接着面２４の下端から傾斜する各テーパー面２６によって、所定の高さを有する角錐台２７が形成されている。
【００２０】
また、支持体１９の横断面外形を長軸端部を突出させた楕円形として、角錐台２７に変え接着面２４の下端から延びる楕円錐台としてもよく、支持体１９の横断面外形を円形とした円錐台としてもよい。
【００２１】
液収納袋１６は、二枚のフィルム２８、２９を重ね合わせ、その両側縁３０ａ，３０ｂと下端周縁３１を接着した袋状にされたもので、それぞれのフィルム２８、２９の上端は、支持体１９の接着面２４に接着され、同時に残りの上端部分３２ａ，３２ｂは、接着面２４の高さに対応する巾を持って相互に接着されている。
【００２２】
フィルムとしては、単層、または合成樹脂フィルムと積層したアルミフィルム、或いは、単層、または積層の合成樹脂フィルムを用いることができる。
それぞれのフィルム２８、２９の一方または両方のフィルムの内面には、フィルムの上端の中心から延びる一定の垂直線と、垂直線に続く波形線に沿って、上下端縁を結ぶ流出溝３３が設けられている。
【００２３】
図１に示すように、キャップＣは、ねじ３５を螺設した側周壁３６と上壁に立設された案内筒３７とを具えており、上壁には、ポンプＤを取付け案内する部材が配設されている。
【００２４】
ポンプＤは、シリンダーＤ１とピストン部材とを具えており、シリンダーＤ１の周面には、注出口部１５のポンプＤの挿入孔２０との間を密封する膨出環４０が設けられており、シリンダーＤ１の下端には、吸込みパイプ４１が垂設されている。
【００２５】
ポンプＤを取付けたキャップＣは、パッキンｐを介して袋状容器Ｂの注出口部１５の取付筒１８に嵌着され、吸込みパイプ４１下端の吸込み口４２は、袋状容器Ｂの角錐台２７の下端より垂下している。
ポンプＤのピストン部材のステムの上端には、吐出ノズル４３を具えた吐出ヘッドＥが装着されている。
【００２６】
ポンプＤとして、吐出ヘッドＥの操作に応じて、袋状容器Ｂ内の内容液を吸上げ、吐出ノズル４３から吐出することができるものであればよく、従来公知のポンプが使用されるので、くわしい説明は省略する。
【００２７】
オーバーキャップＦは、頂壁４５と側周壁４６を具え、蓋体Ａ２の支持筒１２に嵌着されている。
【００２８】
次に、本発明の使用態様と作用効果について説明する。
外装容器Ａの容器本体Ａ１に内容液を充填した袋状容器Ｂを挿入し、注出口部１５の基板１７を嵌合筒４内周に嵌挿し、支持段部７に載置する。
次に、外装容器Ａに、蓋体Ａ２を被蓋して、袋状容器Ｂの注出口部１５のポンプＤの挿入孔２０にポンプＤを挿入しつつキャップＣを取付筒１８に取着し、レフィル容器を組立てる。
その際、ポンプＤの吸込みパイプ４１の吸込み口４２は、注出口部１５の支持体１９の下端に垂下して内容液中に挿入される。
【００２９】
内容液の吐出に当たって、吐出ヘッドＥを上下動操作することによって吸込みパイプ４１から内容液をポンプＤ内に吸上げ、吐出ノズル４３より吐出する。
その際、液収納袋１６内が負圧になり、液収納袋１６は、その両側のフィルム２８、２９を吸引、接合するように変形して、潰されていくことになる。
変形の時に、フィルム２８、２９内面の中間部が先に接合して、その下方から流出路を塞ぐことがあっても、フィルム２８、２９の間には、流出溝３３によって、液流出路が形成されるので、下方の内容液も吸上げられる。
【００３０】
また、液収納袋１６の上方部では、接着面２４から垂下する角錐台２７側のテーパー面２６の高さはわずかしかないので、角錐台２７周辺の内容液は、吸込み口４２が位置する中央部に吸い寄せられる。
そして、両面のフィルム２８、２９が吸込みパイプ４１の下端周縁に押しつけられ、液流出路が閉じられた場合にも、流出溝３３により流出路が形成され、吸込みパイプ４１下端の吸込み口４２の上方にある内容液も吸引され、吸い上げられる。
したがって、内容液は、支持体１９のポンプＤの挿入孔２０下端と吸込みパイプ４１下端との間にあるわずかの残量を残して吸上げられることになる。
【００３１】
内容液を使い切ったときには、キャップＣを取外し、外装容器Ａの蓋体Ａ２を開いて、袋状容器Ｂを取出し、新しい袋状容器と入れ替え、ポンプＤの吸込みパイプ４１、シリンダーＤ１を袋状容器ＢのポンプＤの挿入孔２０に挿入するようにして、キャップＣを取付筒１８に取着することによって液吐出容器として再使用できる。
【００３２】
上記実施形態では、袋状容器Ｂにポンプを装着するようにしているが、袋状容器Ｂだけを飲料、化粧料、生活用品等の注出容器として用い、注出口部の取付筒を注出筒として、該注出筒から内容液を注出するようにすることができる。
さらには、飲料用の容器では、注出筒を吸口として直接吸飲するようにしてもよい。
また、吐出ヘッドに替え、噴霧ヘッドを取り付けて噴霧容器として用いてもよい。
【００３３】
【実施例】
前記実施形態では、流出溝を波形に形成しているが、溝巾、波の形状については適宜に変更することができ、流出溝の形状について、波形以外にも１または複数の縦溝、格子状、その他の形状を採用することができる。
さらにまた、フィルムの肉厚を調整することによって、フィルムの変形を、下方から順次に行わせ、流路を終始維持することができる。
以下、別実施例として説明する。
【００３４】
〔第１実施例〕
本実施例は、フィルムの内面に複数の縦方向の溝を設けたものである。
図５（ａ）において、５０は、二枚のフィルム５１ａ，５１ｂの下端５２と両側端５３ａ，５３ｂを接着した上端を開放端とした液収納袋であり、二枚のフィルム５１ａ，５１ｂには、中心部とその両側に三本の縦溝５４、５５ａ，５５ｂが形成されている。
フィルム５１ａ，５１ｂの上端を支持体１９に接着しつつ相互に接着することにより袋状容器Ｂが得られ、内容液の吸上げ時には、実施形態と同様の作用効果を得ることができる。
【００３５】
〔第２実施例〕
本実施例は、フィルムの内面に格子状の溝を形成したものである。
図５（ｂ）において、６０は、二枚のフィルム６１ａ，６１ｂの下端６２と両側端６３ａ，６３ｂを接着した液収納袋であり、二枚のフィルム６１ａ，６１ｂの内面には、格子状の流出溝６４が形成されている。
格子状の交叉点６５は、袋状容器Ｂとしたときに支持体１９の角錐台２７よりわずかに下方中央部に位置し、交叉点６５から上方に延びる双方の上端が中央部に接近して位置するようにしている。
内容液の吸上げにあたって、吸込みパイプ４１の吸込み口４２は、流出溝６４に係合するので、実施形態と同様に、全ての内容液を吸上げることができる。
【００３６】
〔第３実施例〕
本実施例は、一枚のフィルムを折り曲げて両側を接着して袋状にしたものである。
図６において、７０は対向するフィルムの内面に縦方向に延びる流出溝７１を形成した液収納袋であり、液収納袋７０は、中央に縦溝７２を刻設した一枚のフィルム７３を中央の折曲部７４で折り曲げ、両側部７５ａ，７５ｂを接着して作成されている。
使用時には、実施形態と同様の作用効果が得られる。
【００３７】
〔第４実施例〕
本実施例は、肉厚調整し、押出成形したチューブをカットして一端を接着して袋状にしたものである。
図７（ａ）において、８０は肉厚調整しながら押圧成形されたチューブであり、肉厚は漸次に増大、減少が繰り返され、最大肉厚部８１、最小肉厚部８２が交互に並設されている。
【００３８】
チューブ８０は、最大肉厚部８１、最小肉厚部８２の個所でカットし、図７（ｂ）に示すように、最小肉厚部８２を接着して接着部８３とし、肉厚が下方側を最小肉厚とした液収納袋８４が得られる。
使用時には、液収納袋８４の下方側の肉厚が上方側に比べ薄いので負圧に対しより弱く、液収納袋８４は下方側より潰れていくとともに、実施形態と同様の作用効果が得られる。
【００３９】
〔第５実施例〕
本実施例は、フィルムの内面に溝の深さを変位させて流出溝を形成したものである。
図８（ａ）（ｂ）において、９０は、二枚のフィルム９１ａ，９１ｂの下端９２と両側端９３ａ，９３ｂを接着し、上端を開放端とした液収納袋であり、二枚のフィルム９１ａ，９１ｂには中心部に、下端９２に向って溝の深さが漸次浅くなるように波形の流出溝９４が形成されている。
使用時には、容器の下方側の溝が浅く上方側が深いので、流出溝９４が補強リブとして働き、容器の下方側から順次効果的に潰れるとともに実施形態と同様の効果が得られる。
【００４０】
溝の深さを下端に向かって漸次浅くすることは、前記第１〜第３実施例にも適用することができ、上記第５実施例と同様の作用効果を得ることができる。
【００４１】
〔第６実施例〕
本実施例は、フィルムの内面に格子状の溝の間隔を変位させて形成したものである。
図９において、１００は、二枚のフィルム１０１ａ，１０１ｂの下端１０２と両側端１０３ａ，１０３ｂを接着した液収納袋であり、二枚のフィルムの内面には、下端１０２に向って格子が漸次大きくなるように格子状の流出溝１０４が形成されている。
使用時には、容器の格子の巾が下端１０２に向って大きくなっているので、液収納袋が下方より順次効果的に潰れるとともに実施形態と同様の効果が得られる。
【００４２】
〔その他の実施例〕
前記第４実施例は、液収納袋の肉厚を調節したものであるが、これと実施形態のフィルム、第１〜第３実施例を組み合わせることができる。
さらには、第４実施例と、第５、第６、第７実施例と組み合わせてもよい。
組み合わされた実施例は、それぞれの実施例の作用効果を複合し、より優れた効果を得ることができる。
【００４３】
前記実施形態、実施例においては、流出溝の断面形状について、特に説明しなかったが、図示されている円弧、楕円弧を始め、三角形、その他の多角形にしてもよい。
【００４４】
前記実施形態、実施例においては、液収納袋の一端を注出口部に接着するようにして袋状容器に成形しているが、液収納袋と注出口部とをインサート成形等により、金型内で一体的に溶着してもよい。
また、液収納体部分となるプリフォームと注出口部とを一体的に組み付けた後、該プリフォーム部分をブロー成形し、袋状容器に成形してもよい。
さらに、注出口部と液収納袋とは、別袋のものを一体的に結合させて袋状容器を構成してもよいし、或いは、注出口部と液収納袋が一体の中間成形体を成形した後、ブロー成形等により、該中間成形体を袋状容器に成形してもよい。
【００４５】
【発明の効果】
本発明は、上記のように構成されているから、次の効果を奏する。
液収納袋の内面に液流出路を形成する流出溝を配設したから、吐出時に液収納袋が押潰され、液収納袋の中間で内面が吸引接合されても、流出溝を通じて下方部の内容液を吸上げることができる。
【００４６】
また、支持体の接着面と角錐台下端との間を短くするとともに、流出溝を液収納袋の上端まで形成し、流出溝の一部を吸上げパイプの下端に接合するようにしているから、上部の内容液も流出溝を通じて吸引口に吸引され、残量を少なくすることができる。
【図面の簡単な説明】
【図１】本発明のレフィル容器の一部断面立面図である。
【図２】外装容器の説明図で、（ａ）は断面立面図、（ｂ）は容器本体の上面図である。
【図３】袋状容器の一部断面立面図である。
【図４】袋状容器口部基体の説明図で、（ａ）は上面図、（ｂ）は底面図である。
【図５】液収納袋の実施例の説明図で、（ａ）は第１実施例、（ｂ）は第２実施例の斜視図である。
【図６】液収納袋の第３実施例の説明図で、（ａ）は液収納袋、（ｂ）はフィルムの斜視図である。
【図７】液収納袋の第４実施例の説明図で、（ａ）はカットする前のチューブ、（ｂ）は液収納袋の斜視図である。
【図８】液収納袋の第５実施例の説明図で、（ａ）は上面図、（ｂ）は側面図である。
【図９】液収納袋の第６実施例の上面図である。
【符号の説明】
Ａ　　　　　外装容器
Ａ１　　　　容器本体
Ａ２　　　　蓋体
Ｂ　　　　　袋状容器
Ｃ　　　　　キャップ
Ｄ　　　　　ポンプ
Ｅ　　　　　吐出ヘッド
Ｆ　　　　　オーバーキャップ
１　　　　　胴周壁
２　　　　　開孔
３　　　　　底壁
４　　　　　嵌合筒
５　　　　　膨出部
６　　　　　係合面
７　　　　　支持段部
８　　　　　頂壁
９　　　　　側周壁
１０　　　　嵌挿孔
１２　　　　支持筒
１３　　　　係合部
１５　　　　注出口部
１６、５０、６０、７０、８４、９０、１００　液収納袋
１７　　　　基板
１８　　　　取付筒
１９　　　　支持体
２０　　　　挿入孔
２１　　　　ねじ
２２　　　　ねじ筒部
２３　　　　係合筒部
２４　　　　接着面
２５　　　　凹溝
２６　　　　テーパー面
２７　　　　角錐台
２８、２９、５１ａ，ｂ、６１ａ，ｂ、９１ａ，ｂ、１０１ａ，ｂ
フィルム
３３、６４、７１、９４、１０４　流出溝
３５　　　　ねじ
３６　　　　側周壁
４１　　　　吸込みパイプ
４２　　　　吸込み口
４３　　　　吐出ノズル
５４、５５ａ，ｂ、７２　縦溝
６５　　　　交叉点
８０　　　　チューブ
８１　　　　最大肉厚部
８２　　　　最小肉厚部
【図１】
2004051224.tif 000003
【図２】
2004051224.tif 000004
【図３】
2004051224.tif 000005
【図４】
2004051224.tif 000006
【図５】
2004051224.tif 000007
【図６】
2004051224.tif 000008
【図７】
2004051224.tif 000009
【図８】
2004051224.tif 000010
【図９】
2004051224.tif 000011